(57)【要約】   【課題】 内槽と外槽との間が汚染されるという従来の洗濯機の欠点を解消し、洗濯槽の清潔で衛生的な状態を常に保って洗濯物の汚染を防ぎ、好ましい清潔と衛生が得られる洗濯機を提供する。  【解決手段】  洗濯空間が形成された洗濯機のドラムの内壁面に第１挿入板と第２挿入板とを着脱自在に設け、かつ該第１挿入板と該第２挿入板とによって該ドラムの内壁面に沿って該洗濯空間を囲繞する円筒形状を形成することで、該ドラムの壁面を第１層壁面とし、該第１挿入板と該第２挿入板とによってなる内層壁面を構成した二重構造を形成するとともに、該第１挿入板及び該第２挿入板と、該ドラムの内壁面との間に水流の通過する隙間を形成してなる。【選択図】  図１Ｂ
2018093936.tif 000002
【特許請求の範囲】
【請求項１】
内部空間が形成され、底部に該内部空間に連通する排水管を設けた外枠と、
該外枠の外部底面に設けるモータと、
該ハウジングの内部空間に設けられ、上端が開口面である洗濯空間が形成されたドラムであって、かつ内壁面には外方向に窪んで適宜な深さの凹状を呈するとともに垂直方向に螺旋を描いて延伸する螺旋状排水溝を複数形成してなり、該螺旋状排水溝の傾斜角度が３０度以上であって、該螺旋状排水溝の深さが該ドラムの下方に向かって漸深し、該ドラムの該螺旋状排水溝上端が位置する部位には円周に沿って環状排水溝を形成し、該環状排水溝には該ドラムを貫通する複数の排水口を形成し、該ドラムの内壁面の上端縁部には、円周に沿って第１係合溝と第２係合溝とを形成し、かつ該ドラムの内壁面の下端縁部には、該第１係合溝と該第２係合溝とに対応する位置にそれぞれ係合突起を形成し、該ドラムの底面に複数の管状水路を設けてなるドラムと、
該ドラムの該管状水路に連通する内部空間が形成された中空状であって、上端に該ドラムの該第１係合溝に挿入する第１係合突起を形成し、下端に該ドラムの該係合突起を挿入する第１係合孔を形成してなる複数の第１挿入板であって、かつ複数の該第１挿入板の一部が洗濯板であって、一部がフィルタ板であって、一部がスポイラーであって、該洗濯板の第１側面に複数のリブ状突起部を形成するとともに、上端に近接した位置に、内部空間に連通する排水口を形成し、該第１係合突起を該ドラムの該第１係合溝に挿入し、該ドラムの該係合突起を該第１係合孔に挿入した場合に該リブ状突起が該ドラムの洗濯空間に向けられる複数の第１挿入板と、
上端に、該ドラムの該第２係合溝に挿入する第２係合突起を形成し、下端に、該ドラムの該係合突起を挿入する第２係合孔を穿設してなる第２挿入板であって、かつ該第２挿入板が波状板であって、第１側面に複数の波状部を形成し、かつ該波状部に複数の脱水孔を穿設した第２挿入板と、
該ドラムの底面の中央の位置に着脱自在に設け、かつ該モータの回転軸が接続し、内部に水流推進板を設け、かつ外周面が該ドラムの底面に設ける複数の管状水路１５の一端に対応する攪拌翼と、を含んでなり、
該第１挿入板と該第２挿入板とが隣り合うように該ドラムの内壁面に設け、かつ該第１挿入板及び該第２挿入板と該ドラムの内壁面との間に隙間を形成すること、を特徴とする洗濯機。
【発明の詳細な説明】
【技術分野】
【０００１】
この発明は洗濯機に関し、特に家庭用の衣服を洗濯するための洗濯機に関する。
【背景技術】
【０００２】
従来の市販されている洗濯機は、そのほとんどが内槽と外槽とによってなる二層構造に設計されている。このため、内槽と外槽との間に汚れが付着し、細菌が発生しやすくなっているともに、有害な物質が容易に残留する。然しながら、洗濯機を分解しない限り、係る汚れなどを完全に除去することはできない。よって、極めて不衛生といえる。
【発明の概要】
【発明が解決しようとする課題】
【０００３】
この発明は、内槽と外槽との間が汚染されるという従来の洗濯機の欠点を解消し、洗濯槽の清潔で衛生的な状態を常に保って洗濯物の汚染を防ぎ、好ましい清潔と衛生が得られる洗濯機を提供することを課題とする。
【課題を解決するための手段】
【０００４】
そこで、本発明者は従来の洗濯機に見られる上述の欠点に鑑み鋭意研究を重ねた結果、洗濯空間が形成された洗濯機のドラムの内壁面に第１挿入板と第２挿入板とを着脱自在に設け、かつ該第１挿入板と該第２挿入板とによって該ドラムの内壁面に沿って該洗濯空間を囲繞する円筒形状を形成することで、該ドラムの壁面を第１層壁面とし、該第１挿入板と該第２挿入板とによってなる内層壁面を構成した二重構造を形成するとともに、該第１挿入板及び該第２挿入板と、該ドラムの内壁面との間に水流の通過する隙間を形成してなる洗濯機によって課題を解決できる点に着眼し、係る知見に基づいて本発明を完成させた。
【０００５】
以下この発明について説明する。請求項１に記載する洗濯機は、内部空間が形成され、底部に該内部空間に連通する排水管を設けた外枠と、
該外枠の外部底面に設けるモータと、
該ハウジングの内部空間に設けられ、上端が開口面である洗濯空間が形成されたドラムであって、かつ内壁面には外方向に窪んで適宜な深さの凹状を呈するとともに垂直方向に螺旋を描いて延伸する螺旋状排水溝を複数形成してなり、該螺旋状排水溝の傾斜角度が３０度以上であって、該螺旋状排水溝の深さが該ドラムの下方に向かって漸深し、該ドラムの該螺旋状排水溝上端が位置する部位には円周に沿って環状排水溝を形成し、該環状排水溝には該ドラムを貫通する複数の排水口を形成し、該ドラムの内壁面の上端縁部には、円周に沿って第１係合溝と第２係合溝とを形成し、かつ該ドラムの内壁面の下端縁部には、該第１係合溝と該第２係合溝とに対応する位置にそれぞれ係合突起を形成し、該ドラムの底面に複数の管状水路を設けてなるドラムと、
該ドラムの該管状水路に連通する内部空間が形成された中空状であって、上端に該ドラムの該第１係合溝に挿入する第１係合突起を形成し、下端に該ドラムの該係合突起を挿入する第１係合孔を形成してなる複数の第１挿入板であって、かつ複数の該第１挿入板の一部が洗濯板であって、一部がフィルタ板であって、一部がスポイラーであって、該洗濯板の第１側面に複数のリブ状突起部を形成するとともに、上端に近接した位置に、内部空間に連通する排水口を形成し、該第１係合突起を該ドラムの該第１係合溝に挿入し、該ドラムの該係合突起を該第１係合孔に挿入した場合に該リブ状突起が該ドラムの洗濯空間に向けられる複数の第１挿入板と、
上端に、該ドラムの該第２係合溝に挿入する第２係合突起を形成し、下端に、該ドラムの該係合突起を挿入する第２係合孔を穿設してなる第２挿入板であって、かつ該第２挿入板が波状板であって、第１側面に複数の波状部を形成し、かつ該波状部に複数の脱水孔を穿設した第２挿入板と、
該ドラムの底面の中央の位置に着脱自在に設け、かつ該モータの回転軸が接続し、内部に水流推進板を設け、かつ外周面が該ドラムの底面に設ける複数の管状水路１５の一端に対応する攪拌翼と、を含んでなり、
該第１挿入板と該第２挿入板とが隣り合うように該ドラムの内壁面に設け、かつ該第１挿入板及び該第２挿入板と該ドラムの内壁面との間に隙間を形成する。
【発明の効果】
【０００６】
この発明による洗濯機は、洗濯槽内に設ける全ての付属品が着脱自在に設けられ、かつ容易に着脱することができ、またドラム内に螺旋状排水溝が形成されているため、洗濯槽内の清潔を保つための洗浄、もしくは脱水が容易で実用的であるという効果を有する。
【図面の簡単な説明】
【０００７】
【図１Ａ】この発明におけるドラムに洗濯板と波状板とを設けた状態の平面図である。
【図１Ｂ】図１に開示する状態のドラムの斜視図である。
【図２Ａ】この発明におけるドラムの平面図である。
【図２Ｂ】図２に開示するドラムの斜視図である。
【図３】この発明における洗濯板を示した斜視図である。
【図４】この発明における波状板を示した斜視図である。
【図５Ａ】この発明における攪拌翼を設けた状態のドラムの平面図である。
【図５Ｂ】この発明における攪拌翼の取付け構造を示した説明図である。
【図６Ａ】この発明における攪拌翼を示した平面図である。
【図６Ｂ】図６Ａに開示する攪拌翼の構造を示した説明図である。
【図７Ａ】この発明による洗濯機のドラムを示した平面図である。
【図７Ｂ】この発明による洗濯機の構造を示した説明図である。
【発明を実施するための形態】
【０００８】
この発明は、内槽と外槽との間が汚染されるという従来の洗濯機の欠点を解消し、洗濯槽の清潔で衛生的な状態を常に保って洗濯物の汚染を防ぎ、好ましい清潔と衛生が得られる洗濯機を提供するものであって、洗濯空間が形成された洗濯機のドラムの内壁面に第１挿入板と第２挿入板とを着脱自在に設け、かつ該第１挿入板と該第２挿入板とによって該ドラムの内壁面に沿って該洗濯空間を囲繞する円筒形状を形成することで、該ドラムの壁面を第１層壁面とし、該第１挿入板と該第２挿入板とによってなる内層壁面を構成した二重構造を形成するとともに、該第１挿入板及び該第２挿入板と、該ドラムの内壁面との間に水流の通過する隙間を形成してなる。係る洗濯機の構造と特徴を説明するために、具体的な実施例を挙げ、図面を参照して以下に詳述する。
【実施例】
【０００９】
図１Ａ、図１Ｂに開示するように、この発明による洗濯機は、ドラム１と、ドラム１内の洗濯空間内に設ける第１挿入板２及び複数の第２挿入板３と、攪拌翼４とを含んでなる。
【００１０】
図２Ａ、図２Ｂ、図７Ａ及び図７Ｂに開示するようにドラム１は洗濯機の外枠５内に設けられ、かつ内部に水と洗濯物を入れて洗濯を行う容器であって、円筒形状を呈し、上端は開口面であり、底面に攪拌翼４を回動自在に設ける。
【００１１】
攪拌翼４は、下方から外枠５の外部底面に設けたモータ６の回転軸に接続する。したがって、モータ６によって攪拌翼４を回転させることで、ドラム１内に入れた水を旋回させ、流動させることができる。また、外枠５の上端縁部には水の跳ね返りを防ぐ跳ね返り防止部５１を設ける。
【００１２】
ドラム１の内壁面には、外方向に窪んで適宜な深さの凹状を呈し、かつ垂直方向に螺旋を描いて延伸する複数の螺旋状排水溝１１を形成する。螺旋状排水溝１１の深さは、ドラム１の下方に向かって漸深する。好ましくは、螺旋状排水溝１１をプレス成型で形成し、かつ螺旋状排水溝１１の傾斜角度を３０度以上とする。
【００１３】
また、ドラム１の螺旋状排水溝１１の上端が位置する部位には円周に沿って環状排水溝１２を形成するとともに、環状排水溝１２にはドラム１を貫通する複数の排水口１３を形成する。
【００１４】
ドラム１の内壁面の上端縁部には、円周に沿って第１係合溝１４Ａと第２係合溝１４Ｂとを形成し、かつドラム１の内壁面の下端縁部には、第１係合溝１４Ａと第２係合溝１４Ｂとに対応する位置に、それぞれ垂直方向に延伸する複数の係合突起１６を形成する。第１係合溝１４Ａと第２係合溝１４Ｂとは、ドラム１の上端縁部において、円周に沿って分布するように形成し、かつ第１係合溝１４Ａと係第２合溝１４Ｂとが隣り合うように配置し、係合突起１６はドラム１の内壁面の下端縁部において、円周に沿って分布するように形成する。
【００１５】
第１係合溝１４Ａと、下方の対応する位置に形成した係合突起１６とは、第１挿入板２を取り付けるために供し、第２係合溝１４Ｂと、下方の対応する位置に形成した係合突起とは、第２挿入板３を取り付けるために供する。
【００１６】
外枠５は、洗濯機の外部を覆うハウジングであって、洗濯機のハウジングとして適宜な形状であれば、如何なる形状に形成してもよい。外枠５はドラム体１を設けるための内部空間を具え、かつ図７Ｂに開示するように、外枠５の底部には該内部空間に連通する排水管５２を設ける。また、外枠５の外部底面の中央の位置にはモータ６を設け、モータ６の回転軸は垂直方向に沿って上方に延伸して外枠５の底面を貫通し攪拌翼４を取り付ける。
【００１７】
図５Ａから図６Ｂに開示するように、攪拌翼４はドラム１の底面の中央の位置に着脱自在に設け、かつモータ６の回転軸が接続する。攪拌翼４の内部には水流推進板４１を設け、かつ攪拌翼４の外周面は、ドラム１の底面に設ける複数の管状水路１５の一端に対応する。
【００１８】
ドラム１の壁面を第１層壁面とし、第１挿入板２と第２挿入板３とによって内層壁面を構成した二重構造を形成する。即ち、ドラム１の内壁面を円周に沿って洗濯空間を囲繞する円筒形状を形成するとともに、第１挿入板２及び第２挿入板３と、ドラム１の内壁面との間に水流の通過する隙間を形成する。
【００１９】
第１挿入板２は、洗濯に必要とする異なる機能に基づき、それぞれ洗濯板２Ａと、フィルタ板２Ｂと、スポイラー２Ｃとした。洗濯板２Ａは２枚設け、それぞれドラム１の内壁面の対向する位置に取付ける。フィルタ板２Ｂとスポイラー２Ｃは、２枚の洗濯板２Ａを結ぶ線に直交する線がドラム１の内壁面と交わる両方の位置にそれぞれ対向させて設ける。
【００２０】
図３に開示するように、一部の第１挿入板２は洗濯板２Ａであって、洗濯板２Ａは内部空間２４が形成された中空状とし、かつ洗濯板２Ａの上端には第１係合溝１４Ａに対応する第１係合突起２５を形成する。また、洗濯板２Ａの下端には係合突起１６に対応する第１係合孔２３を形成する。第１係合孔２３は洗濯板２Ａの内部空間２４に連通する。
【００２１】
洗濯板２Ａは、ドラム１の内壁面の対向する位置にそれぞれ設ける。この場合、洗濯板２Ａの第１係合突起２５をドラム１の第１係合溝１４Ａに挿入し、ドラム１の係合突起１６を第１係合孔２３に挿入する。よって洗濯板２Ａの内部空間２４は下端から管状水路の他端に連通する。また、洗濯板２Ａの第１側面には複数のリブ状突起部２１を形成するとともに、洗濯板２Ａの上端に近接した位置に、内部空間２４に連通する排水口２２を形成する。
【００２２】
洗濯板２Ａをドラム１に取付けて組み立てる場合、複数のリブ状突起部２１と排水口２２とをドラム１の洗濯空間に向ける。言い換えれば、ドラム１の内壁面には、円周上の対向する両位置に洗濯板２Ａが設けられ、攪拌翼４がモータ６の駆動によって回転すると、攪拌翼４は水流を旋回させるのみならず、攪拌翼４に形成した水流推進板４１が水流の一部を推すため、推された水流が管状水路１５を通過して洗濯板２Ａの内部空間２４に進入し、さらに洗濯板２Ａ上方の排水口２２から流れ出る。洗濯物は回転する水流によって動かされる過程においてリブ状突起部２１と接触し、摩擦で洗浄力が高められる。
【００２３】
この発明において、一部の第１挿入板２はフィルタ板２Ｂであってもよい。フィルタ板２Ｂ内部空間が形成された板体であって、排水孔（図示しない）を形成してなる。該排水孔にはフィルタを設ける。また、フィルタ板２Ｂはドラム１の内壁面において、スポイラー２Ｃに対向する位置に設ける。
【００２４】
攪拌翼４が水流を回転させると、同時に水流推進板４１が一部の水流を動かす。水流推進板４１に推された水流は管状水路１５を介してフィルタ板２Ｂの内部空間に進入し、さらにフィルタ板２Ｂの排水口から排出される。この場合、該排水口に設けたフィルタを通過することで水流をろ過して繊維くず又は異物を除去することができる。
【００２５】
この発明において、一部の第１挿入板２はスポイラー２Ｃであってもよい。スポイラー２Ｃは内部空間を形成しない板体であって、表面に適宜な突起を形成する。またスポイラー２Ｃはドラム１の内壁面において、フィルタ板２Ｂを設ける位置に対向する位置に設ける。
【００２６】
攪拌翼４が水流を旋回させると、旋回する水流がスポイラー２Ｃの影響を受けて乱流が発生する。このため洗濯物が水流の衝撃を受け、洗浄効果が高まる。
【００２７】
図４に開示するように、第２挿入板３は波状板３Ａであって、波状板３Ａの上端には第２係合突起３４を形成し、下端には第２係合孔３３を穿設する。波状板３Ａの第１側面には複数の波状部３１を形成し、かつ波状部３１には第１側面から第２側面に貫通する脱水孔３２を複数穿設する。
【００２８】
波状板３Ａは、ドラム１の内壁面の対向する位置に設ける。この場合、第２係合突起３４はドラム１の第２係合溝１４Ｂに挿入し、第２係合孔３３にはドラム１の係合突起１６を挿入する。したがって、波状板３Ａと、洗濯板２Ａと、フィルタ板２Ｂと、スポイラー２Ｃとを組み合わせることによって、ドラム１の内壁面に沿って内層壁面が構成される。
【００２９】
以上の構成による洗濯機は、攪拌翼４が水流を旋回させると、波状部３１との摩擦によって洗濯物の洗浄効果が高まる。洗濯が完了して脱水する場合はドラム１内の一部分の水が飛ばされて脱水孔３２から出るとともに、一部分の水が飛ばされ、螺旋状排水溝１１に沿って流れ排水口１３から出る。ドラム１から外部に出た水は、排水管５２から外枠５の外部に出る。
【００３０】
この発明による洗濯機を一定の期間使用したことによりドラム１の内壁面と、第１挿入板２及び第２挿入板３の外周面に汚れが付着し堆積した場合、第１挿入板２と第２挿入板３とを簡易な操作で取り外し、洗浄した後、再度取り付けることができるため、便利である。係る操作によって、洗濯機の内層の清潔、衛生を常に保つことができ、洗濯した後の洗濯物は清潔、衛生であって、汚染がない。
【符号の説明】
【００３１】
１        ドラム
１１      螺旋状排水溝
１２      環状排水溝
１３      排水口
１４Ａ    第１係合溝
１４Ｂ    第２係合溝
１５      管状水路
１６      係合突起
２        第１挿入板
２Ａ      洗濯板
２Ｂ      フィルタ板
２Ｃ      スポイラー
２１      リブ状突起部
２２      排水口
２３      第１係合孔
２４      内部空間
２５      第１係合突起
３        第２挿入板
３Ａ      波状板
３１      波状部
３２      脱水孔
３３      第２係合孔
３４      第２係合突起
４        攪拌翼
４１      水流推進板
５        外枠
５１      跳ね返り防止部
５２      排水管
６        モータ
【図１Ａ】
2018093936.tif 000003
【図１Ｂ】
2018093936.tif 000004
【図２Ａ】
2018093936.tif 000005
【図２Ｂ】
2018093936.tif 000006
【図３】
2018093936.tif 000007
【図４】
2018093936.tif 000008
【図５Ａ】
2018093936.tif 000009
【図５Ｂ】
2018093936.tif 000010
【図６Ａ】
2018093936.tif 000011
【図６Ｂ】
2018093936.tif 000012
【図７Ａ】
2018093936.tif 000013
【図７Ｂ】
2018093936.tif 000014
【手続補正書】
【提出日】平成30年2月28日(2018.2.28)
【手続補正１】
【補正対象書類名】特許請求の範囲
【補正対象項目名】全文
【補正方法】変更
【補正の内容】
【特許請求の範囲】
【請求項１】
内部空間が形成され、底部に該内部空間に連通する排水管を設けた外枠と、
該外枠の外部底面に設けるモータと、
該外枠の内部空間に設けられ、上端が開口面である洗濯空間が形成されたドラムであって、かつ内壁面には外方向に窪んで適宜な深さの凹状を呈するとともに垂直方向に螺旋を描いて延伸する螺旋状排水溝を複数形成してなり、該螺旋状排水溝の傾斜角度が３０度以上であって、該螺旋状排水溝の深さが該ドラムの下方に向かって漸深し、該ドラムの該螺旋状排水溝上端が位置する部位には円周に沿って環状排水溝を形成し、該環状排水溝には該ドラムを貫通する複数の排水口を形成し、該ドラムの内壁面の上端縁部には、円周に沿って第１係合溝と第２係合溝とを形成し、かつ該ドラムの内壁面の下端縁部には、該第１係合溝と該第２係合溝とに対応する位置にそれぞれ係合突起を形成し、該ドラムの底面に複数の管状水路を設けてなるドラムと、
該ドラムの該管状水路に連通する内部空間が形成された中空状であって、上端に該ドラムの該第１係合溝に挿入する第１係合突起を形成し、下端に該ドラムの該係合突起を挿入する第１係合孔を形成してなる複数の第１挿入板であって、かつ複数の該第１挿入板の一部が洗濯板であって、一部がフィルタ板であって、一部がスポイラーであって、該洗濯板の第１側面に複数のリブ状突起部を形成するとともに、上端に近接した位置に、内部空間に連通する排水口を形成し、該第１係合突起を該ドラムの該第１係合溝に挿入し、該ドラムの該係合突起を該第１係合孔に挿入した場合に該リブ状突起部が該ドラムの洗濯空間に向けられる複数の第１挿入板と、
上端に、該ドラムの該第２係合溝に挿入する第２係合突起を形成し、下端に、該ドラムの該係合突起を挿入する第２係合孔を穿設してなる第２挿入板であって、かつ該第２挿入板が波状板であって、第１側面に複数の波状部を形成し、かつ該波状部に複数の脱水孔を穿設した第２挿入板と、
該ドラムの底面の中央の位置に着脱自在に設け、かつ該モータの回転軸が接続し、内部に水流推進板を設け、かつ外周面が該ドラムの底面に設ける複数の管状水路の一端に対応する攪拌翼と、を含んでなり、
該第１挿入板と該第２挿入板とが隣り合うように該ドラムの内壁面に設け、かつ該第１挿入板及び該第２挿入板と該ドラムの内壁面との間に隙間を形成する
ことを特徴とする洗濯機。
【手続補正２】
【補正対象書類名】明細書
【補正対象項目名】０００５
【補正方法】変更
【補正の内容】
【０００５】
以下この発明について説明する。
請求項１に記載する洗濯機は、
内部空間が形成され、底部に該内部空間に連通する排水管を設けた外枠と、
該外枠の外部底面に設けるモータと、
該外枠の内部空間に設けられ、上端が開口面である洗濯空間が形成されたドラムであって、かつ内壁面には外方向に窪んで適宜な深さの凹状を呈するとともに垂直方向に螺旋を描いて延伸する螺旋状排水溝を複数形成してなり、該螺旋状排水溝の傾斜角度が３０度以上であって、該螺旋状排水溝の深さが該ドラムの下方に向かって漸深し、該ドラムの該螺旋状排水溝上端が位置する部位には円周に沿って環状排水溝を形成し、該環状排水溝には該ドラムを貫通する複数の排水口を形成し、該ドラムの内壁面の上端縁部には、円周に沿って第１係合溝と第２係合溝とを形成し、かつ該ドラムの内壁面の下端縁部には、該第１係合溝と該第２係合溝とに対応する位置にそれぞれ係合突起を形成し、該ドラムの底面に複数の管状水路を設けてなるドラムと、
該ドラムの該管状水路に連通する内部空間が形成された中空状であって、上端に該ドラムの該第１係合溝に挿入する第１係合突起を形成し、下端に該ドラムの該係合突起を挿入する第１係合孔を形成してなる複数の第１挿入板であって、かつ複数の該第１挿入板の一部が洗濯板であって、一部がフィルタ板であって、一部がスポイラーであって、該洗濯板の第１側面に複数のリブ状突起部を形成するとともに、上端に近接した位置に、内部空間に連通する排水口を形成し、該第１係合突起を該ドラムの該第１係合溝に挿入し、該ドラムの該係合突起を該第１係合孔に挿入した場合に該リブ状突起部が該ドラムの洗濯空間に向けられる複数の第１挿入板と、
上端に、該ドラムの該第２係合溝に挿入する第２係合突起を形成し、下端に、該ドラムの該係合突起を挿入する第２係合孔を穿設してなる第２挿入板であって、かつ該第２挿入板が波状板であって、第１側面に複数の波状部を形成し、かつ該波状部に複数の脱水孔を穿設した第２挿入板と、
該ドラムの底面の中央の位置に着脱自在に設け、かつ該モータの回転軸が接続し、内部に水流推進板を設け、かつ外周面が該ドラムの底面に設ける複数の管状水路の一端に対応する攪拌翼と、を含んでなり、
該第１挿入板と該第２挿入板とが隣り合うように該ドラムの内壁面に設け、かつ該第１挿入板及び該第２挿入板と該ドラムの内壁面との間に隙間を形成する。